(57)【特許請求の範囲】
【請求項１】
自動車のインストルメントパネルの樹脂フレームの開口に収容して取り付けるセンターディスプレイユニット（ＣＤＵ）の取付構造であって、
上記樹脂フレームの裏側の上記開口を挟む左右両側に、別部材からなる金属ブラケットを設けており、
上記樹脂フレームには、上記開口の左右両側縁の対向位置に取付凹部を設け、該取付凹部の表裏両側より同軸上に突出する円柱状のボスを一体成形で設けていると共に該左右のボスの側部にそれぞれネジ穴を設けている一方、
上記ＣＤＵは左右両側に上記取付凹部に嵌合する取付片を備え、該ＣＵＤの左右の取付片および上記左右の金属ブラケットに上記ボスに対応する位置に各々ボス穴を設け、一方のボス穴は上記一方のボスと嵌合するボス位置決め用の丸穴とし、他方のボス穴は長円形とすると共に該長円の短軸は上記他方のボスの直径と略同一とし、該ボスは上下方向には移動不可で左右方向に移動可能な位置調節可能な回転止め用とし、かつ、上記ネジ穴と対応する位置のＣＤＵおよび金属ブラケットにネジ穴を設け、
上記樹脂フレームの裏側のボスを上記金属ブラケットのボス穴に貫通させると共に表側のボスを上記ＣＤＵのボス穴に貫通させて、ＣＤＵと樹脂フレームとを上記長円形のボス穴で左右位置調節して位置決めしており、上記ＣＤＵ、樹脂フレームおよび金属ブラケットのネジ穴にネジを通して該ネジを金属ブラケットに締結し、上記ＣＤＵを金属ブラケットで支持固定していることを特徴としているセンターディスプレイユニットの取付構造。
【請求項２】
上記ＣＤＵの取付片の表面にクリップで係止する樹脂カバーを備え、該樹脂カバーで上記ボスおよびネジを表面から被覆している請求項１に記載のセンターディスプレイユニットの取付構造。
【発明の詳細な説明】
【０００１】
【発明の属する技術分野】
本発明は、センターディスプレイユニットの取付構造に関し、詳しくは、インストルメントパネルの開口に上記センターディスプレイユニットを容易に位置決め固定出来るようにようするものである。
【０００２】
【従来の技術】
図６に示すように、自動車のインストルメントパネルＩには、運転席と助手席の間の中央位置に、オーディオ装置や空調装置等の操作器・表示器等がまとめられたモジュールであるセンターディスプレイユニット（ＣＤＵと略す）２が収容固定されている。
【０００３】
上記ＣＤＵ２の車体側への固定方向としては、図７に示すように、インストルメントパネルＩの樹脂フレーム４に設けた開口４ａの左右両側縁に凹部４ｂを設け、該凹部内にＣＤＵ取付孔４ｃを穿設し、ＣＤＵ２に設けられた取付片３を凹部４ｂに嵌合し、その取付孔３ａとＣＤＵ取付穴４ｃとを一致させ、ネジＮを通してＣＤＵ２をインストルメントパネルＩに固定している。この取付状態で、ＣＤＵ２の表面の意匠板８の表面が樹脂フレーム４の表面に被せた意匠材５の表面に位置合わせされるようにしている。
あるいは、図８に示すように、樹脂フレーム４の裏面側に金属ブラケット６を配置して取付穴６ｃを穿設し、ＣＤＵ２の取付片３を樹脂フレーム４に設けた切欠４ｄを通して上記金属ブラケット６に穿設された取付孔６ａとＣＤＵ２の取付片３の取付孔３ａとを一致させ、ネジＮを通して固定している。
【０００４】
【発明が解決しようとする課題】
上記ＣＤＵの取付構造によると、図７に示す取付構造では、ＣＤＵ２と樹脂フレーム４とを直接固定するため、取り付けられたＣＤＵ２の意匠材８の表面と樹脂フレーム４上の意匠材５の表面との位置決めが精度良く行われ易く寸法管理し易い利点があるが、重量が重いＣＤＵ２を樹脂フレーム４に直接保持させるため強度に問題がある。
【０００５】
一方、図８に示す取付構造では、金属ブラケット６にＣＤＵ２を固定するため、重量のあるＣＤＵ２を保持する強度が保たれる利点があるが、ＣＤＵ２と樹脂フレーム７とを直接固定せずに金属ブラケット６が介在するため、金属ブラケット６の寸法公差により、ＣＤＵ２の意匠材８の表面と樹脂フレーム７の意匠材５の表面との位置ズレが生じやすくなる。よって、部品寸法の精度を高める必要があり、部品成形用の金型調節費用がかかると共に、取付に時間を要する問題がある。
【０００６】
本発明は、上記問題に鑑みてなされたもので、重量の重いＣＤＵを十分に保持できる金属ブラケットを用いながら、金属ブラケット、樹脂フレームおよびＣＤＵの位置決めが容易にでき、樹脂フレームの意匠面とＣＤＵの意匠面との位置合わせが簡単かつ確実に行える構成とすることを課題としている。
【０００７】
【課題を解決するための手段】
上記課題を解決するため、本発明は、自動車のインストルメントパネルの樹脂フレームの開口に収容して取り付けるセンターディスプレイユニット（ＣＤＵ）の取付構造であって、
上記樹脂フレームの裏側の上記開口を挟む左右両側に、別部材からなる金属ブラケットを設けており、
上記樹脂フレームには、上記開口の左右両側縁の対向位置に取付凹部を設け、該取付凹部の表裏両側より同軸上に突出する円柱状のボスを一体成形で設けていると共に該左右のボスの側部にそれぞれネジ穴を設けている一方、
上記ＣＤＵは左右両側に上記取付凹部に嵌合する取付片を備え、該ＣＵＤの左右の取付片および上記左右の金属ブラケットに上記ボスに対応する位置に各々ボス穴を設け、一方のボス穴は上記一方のボスと嵌合するボス位置決め用の丸穴とし、他方のボス穴は長円形とすると共に該長円の短軸は上記他方のボスの直径と略同一とし、該ボスは上下方向には移動不可で左右方向に移動可能な位置調節可能な回転止め用とし、かつ、上記ネジ穴と対応する位置のＣＤＵおよび金属ブラケットにネジ穴を設け、
上記樹脂フレームの裏側のボスを上記金属ブラケットのボス穴に貫通させると共に表側のボスを上記ＣＤＵのボス穴に貫通させて、ＣＤＵと樹脂フレームとを上記長円形のボス穴で左右位置調節して位置決めしており、上記ＣＤＵ、樹脂フレームおよび金属ブラケットのネジ穴にネジを通して該ネジを金属ブラケットに締結し、上記ＣＤＵを金属ブラケットで支持固定していることを特徴としているセンターディスプレイユニットの取付構造を提供している。
【０００８】
上記取付構造とすると、中間に位置する樹脂フレームの表裏両面より突設した同軸のボスを裏面側の金属ブラケットと表面側のＣＤＵのボス穴に嵌合させ、ボスによりＣＤＵを保持した状態で、ＣＤＵの意匠板の表面（以下、意匠面と略す）と樹脂フレームの意匠材の表面（以下、意匠面と略す）とを容易に位置合わせすることができる。この位置合わせした状態で、ＣＤＵをネジで金属ブラケットに締結固定することにより、ＣＤＵと樹脂フレームの意匠面とがずれない状態でＣＤＵをインストルパネルに取り付けることができる。
かつ、上記ＣＤＵを金属ブラケットに締結するネジは、ＣＤＵおよび樹脂フレームに穿設したネジ穴を貫通させ、金属ブラケットのネジ穴に締結し、あるいは金属ブラケットの裏面側でナットと締結している。このように、ＣＤＵを金属ブラケットにネジを介して締結していることにより、金属ブラケットでＣＤＵの荷重を支持でき、ＣＤＵの支持強度が高めることができる。したがって、ＣＤＵが重量が大きい場合においても、ＣＤＵを十分に保持する強度を保つことができると共に、樹脂フレームもＣＤＵ保持のために強度を高める必要がなくなる。
さらに、上記取付構造とすると、取付時にＣＤＵと樹脂フレームとの位置調節ができるため、ＣＤＵおよび樹脂フレームの寸法精度が厳しくならず、これらを作成する金型調整コストや作業時間を低減できる。
【０００９】
上記のように、ボスは円柱とする一方、上記金属ブラケットの左右対向するボス穴の一方は上記ボスと嵌合するボス位置決め用の丸穴とし、他方のボス穴は長円とすると共に該長円の短軸は上記ボスの直径と略同一として位置調節可能な回転止め用としている。
【００１０】
上記構造とすると、樹脂フレームを金属ブラケットに取り付ける際に、樹脂フレームの裏側の左右一方側の円柱ボスを金属ブラケットの左右一方側の丸穴に貫通させて位置決めする一方、他方側の円柱ボスを金属フレームの他方の長円形ボス穴に貫通する時、該長円形ボス穴が円柱ボスの外径よりも大きい長軸を有しているため、両方の円柱ボス間の寸法公差を吸収して容易に貫通させることができる。
【００１１】
さらに、上記ボスをボス穴に貫通取付後も、樹脂フレームの円柱ボスは長円形ボス穴の長軸の範囲内で撓ませることが可能となるので、樹脂フレームの表側の円柱ボスをＣＤＵの各ボス穴間のピッチに合わせて貫通することができる。
このように、樹脂フレームの左右のボスのピッチ、金属ブラケットの左右のボス穴のピッチ、ＣＤＵの左右のボス穴のピッチがずれていても、金属ブラケットのボス穴の一方を調節可能な長円としているため、ピッチのずれを矯正して、樹脂フレームの意匠面とＣＤＵの意匠面とを位置合わせすることが簡単にできる。上記位置調節時、長円形ボス穴の短軸は、円柱ボスの外径と略同一としているため、金属ブラケットの一方の丸穴のボス穴が樹脂フレームを位置決めする作用を果たす一方で、長円形ボス穴が左右位置調節を可能としながら回転止めの作用を果たす。
【００１２】
上記金属ブラケットの長円形ボス穴と対応する側のＣＤＵの一方のボス穴も長円形ボス穴としてもよい。あるいは、ＣＤＵのネジ穴を貫通させるネジよりも大きくしておくことにより、寸法交差を吸収できるようにしてもよい。
【００１３】
なお、上記樹脂フレームにＣＤＵを取り付けることで露出したネジ（またはボルト）やボスを隠すために、樹脂カバーを被せて意匠面を構成すると好適である。また、上記樹脂カバーにはクリップ部を設ける一方、上記樹脂フレームにはクリップ孔を穿設し、該クリップ部を該クリップ孔に挿入係止して固定するとよい。
【００１４】
【発明の実施の形態】
本発明の実施形態を図面を参照して説明する。
図１に示すように、自動車のインストルメントパネルには、運転席と助手席の間の中央位置において、オーディオ装置や空調装置等の操作器・表示器等がまとめられたセンターディスプレイユニット１０（ＣＤＵと略す）を取り付けるための開口１７を有した樹脂フレーム１５が備えられていると共に、該樹脂フレーム１５の内側には金属ブラケット１８が備えられており、ＣＤＵ１０は開口１７を表側より塞ぐように被せて取付固定している。
【００１５】
樹脂フレーム１５は、開口１７の左右両側の所要箇所に取付凹部１５ａ、１５ｂを設け、取付凹部１５ａ、１５ｂの底面にネジ穴１５ｃ、１５ｆを穿設している。ネジ穴１５ｃ、１５ｆはネジを貫通させる穴であり、内周面にネジを形成していない。
また、取付凹部１５ａ，１５ｂ内には、上記ネジ１５ｃ、１５ｆの側部には夫々表裏両面より同軸上に突出する円柱ボス１５ｄと１５ｅ、１５ｇと１５ｈを一体成形で設けている。
さらに、樹脂フレーム１５には室内側の表面に意匠材１６を取り付けていると共に、上記取付凹部１５ａ、１５ｂの上方に後述する樹脂カバー１９を取り付けるクリップ孔１５ｉを穿設している。
【００１６】
ＣＤＵ１０は、オーディオ装置や空調制御機器等が収容された本体部１４の表面に操作部や表示部等を設けた意匠板１１を備え、左右両側の所要位置に一対の取付片１２、１３を外向きに突出している。該取付片１２、１３には、ネジ穴１２ｂ、１３ｂを穿設していると共に、各ネジ穴１２ｂ、１３ｂの側部に円形ボス穴１２ａ、１３ａを穿設している。
上記取付片１２、１３は樹脂フレーム１５の取付凹部１５ａ、１５ｂに内嵌する形状としている。また、上記円形ボス穴１２ａ、１３ａの径は樹脂フレーム１５の表側の円柱ボス１５ｄ、１５ｇの外径よりも若干大きくして寸法交差を吸収できるようにしている。
【００１７】
金属ブラケット１８は樹脂フレーム１５の裏面側（内側）で、開口１７を挟む左右両側に配置され、取付片１８ａ、１８ｂを開口側に突設している。一側の取付片１８ｂには、ネジ穴１８ｅを穿設していると共に、丸穴の円形ボス穴１８ｆを並列して穿設している。他側の取付片１８ａにはネジ穴１８ｃを穿設していると共に、上記左右方向が長軸で上下方向が短軸の長円形ボス穴１８ｄを穿設している。
上記円形ボス穴１８ｆは、樹脂フレーム１５の裏面側に突出する図中左側の円柱ボス１５ｈと略同一径として、円柱ボス１５ｈの位置決め用としている。一方、長円形ボス穴１８ｄは短軸長さを樹脂フレーム１５の裏側に突出する図中右側の円形ボス１５ｅの径と略同一とし、円柱ボス１５ｅは左右に移動可能であるが上下に移動不可として、他の円柱ボス１５ｈを支点として回転しないようにしている。
また、ネジ穴１８ｃ，１８ｅは内周面をネジ切りしている。
【００１８】
次に、インストルメントパネルＩへＣＤＵ１０を取り付ける手順について説明する。
まず、図２に示すように、樹脂フレーム１５の左側の取付凹部１５ｂに設けられた裏側の円柱ボス１５ｈに、金属ブラケット１８の左側の取付片１８ｂの円形ボス穴１８ｆを貫通させる。次いで、図３に示すように、樹脂フレーム１５の右側の取付凹部１５ａに設けられた裏側の円柱ボス１５ｅに、金属ブラケット１８の右側の取付片１８ａの長円形ボス穴１８ｄを貫通させる。
【００１９】
この時、図４に示すように、右側の取付片１８ａの長円形ボス穴１８ｄが円柱ボス１５ｅの径より大きい長軸を有するため、左右の円柱ボス１５ｅ、１５ｈ間の図中Ｘ方向の寸法公差を吸収することができると共に、長円形ボス穴１８ｄの短軸が円柱ボス１５ｅと略同径であるため、図中上下Ｙ方向に対しては位置決めすることができる。即ち、円柱ボス１５ｄ、１５ｅは長円形ボス穴１８ｄの範囲内で左右Ｘ方向に撓ませることが可能な状態となる。
【００２０】
そして、ＣＤＵ１０の本体部１４を樹脂フレーム１５の開口１７に収容すると同時に、ＣＤＵ１０の左右の取付片１２、１３の円形ボス穴１２ａ、１３ａに、樹脂フレーム１５の左右の取付凹部１５ａ、１５ｂの表側の円柱ボス１５ｄ、１５ｇを貫通させる。
この時、樹脂フレーム１５の円柱ボス１５ｄ、１５ｅは、金属ブラケット１８の長円形ボス穴１８ｄの範囲内でＸ方向に撓ませることができるので、樹脂フレーム１５の左右の円柱ボス１５ｄ、１５ｇのピッチは、ＣＤＵ１０の左右の円柱ボス穴１２ａ、１３ａ間のピッチと合うように矯正される。よって、ＣＤＵ１０と樹脂フレーム１５との位置合わせができ、樹脂フレーム１５の意匠材１１と樹脂フレームの意匠材１６の表面（意匠面）とを一致させてズレをなくすことができる。
【００２１】
次いで、右側の合致したネジ穴１２ｂ、１５ｃ、１８ｃと左側の合致したネジ穴１３ｂ、１５ｆ、１８ｅとには、それぞれネジＮをネジ穴１２ｂ→１５ｃ、１３ｂ→１５ｆを貫通させた後に、金属ブラケット１８のネジ穴１８ｃ、１８ｅと螺合している。これにより、ＣＤＵ１０・樹脂フレーム１５・金属ブラケット１８は互いにネジＮにより締結固定される。
其の際、ＣＤＵ１０のネジ穴１２ｂ、１３ｂをネジＮの軸部外径よりも若干大きくしていることにより、寸法交差を吸収することができる。
このように、ＣＤＵ１０をネジＮを介して金属ブラケット１８に締結し、ＣＤＵ１０の重量を金属ブラケット１８で保持しているため、ＣＤＵの保持強度を高めることができる。また、樹脂フレーム１５のネジ穴１５ｃ、１５ｆにはネジＮを通しているだけであるため、樹脂フレーム１５にＣＤＵ１０の重量負荷がかからない。
【００２２】
最後に、樹脂フレーム１５の取付凹部１５ａ、１５ｂで露出したネジＮや円柱ボス１５ｄ、１５ｇを隠すために、意匠面を構成する樹脂カバー１９を被せ、該樹脂カバー１９のクリップ部１９ａを樹脂フレーム１５のクリップ孔１５ｉに挿入係止している。
【００２３】
なお、金属ブラケット１８のネジ穴も貫通穴とし、ＣＤＵ、樹脂フレームおよび金属ブラケットに穿設したネジ穴にボルトを通し、金属ブラケットの裏面側でナットと締結してもよい。
【００２４】
【発明の効果】
以上の説明より明らかなように、本発明によれば、インストルメントパネルの樹脂フレームの表裏両面より同軸のボスを突設し、該ボスを金属ブラケットとＣＤＵのボス穴に嵌合して、ＣＤＵと樹脂フレームとの位置合わせをすることができ、この状態で、金属ブラケットと樹脂フレームとＣＤＵとを締結固定しているため、ＣＤＵと樹脂フレームとの意匠面を容易に合わせることができる。
かつ、ＣＤＵを金属ブラケットにネジを介して締結し、ＣＤＵの重量を金属ブラケットで保持しているため、保持強度を高めることができる。
【００２５】
また、樹脂フレームの表裏両面より突設するボスを円柱ボスとし、金属ブラケットのボス穴の一方は丸穴の円形ボス穴とする一方、他方のボス穴を長円形ボス穴とすると、樹脂フレームの裏面側の一方の円柱ボスが位置決め基準となり、他方側の円柱ボスが長円形ボス穴内で撓わんで位置調節することでき、樹脂フレームの表側の円柱ボスを上記ＣＤＵの各ボス穴間のピッチに合わることが出来るため、樹脂フレームとＣＤＵの位置合わせをよりスムーズに行うことができる。
【図面の簡単な説明】
【図１】  本発明の実施形態に係るセンターディスプレイユニット（ＣＤＵ）の取付前の斜視図である。
【図２】  ＣＤＵの左側の取付片の取り付けを説明する図面である。
【図３】  ＣＤＵの右側の取付片の取り付けを説明する図面である。
【図４】  金属ブラケットへの樹脂フレームの取付状態を示す図面である。
【図５】  ＣＤＵの取付後の斜視図である。
【図６】  ＣＤＵ配置箇所を説明する図面である。
【図７】  従来のＣＤＵの取付構造を説明する斜視図である。
【図８】  別の従来のＣＤＵの取付構造を説明する斜視図である。
【符号の説明】
１０              センターディスプレイユニット（ＣＤＵ）
１１、１６        意匠面
１２、１３        取付片
１２ａ、１３ａ    円形ボス穴
１２ｂ、１３ｂ    ネジ穴
１４              本体部
１５              樹脂フレーム
１５ａ、１５ｂ    取付凹部
１５ｃ、１５ｆ    ネジ穴
１５ｄ、１５ｅ、１５ｇ、１５ｈ  円柱ボス
１７              開口
１８              金属ブラケット
１８ａ、１８ｂ    取付片
１８ｃ、１８ｅ    ネジ穴
１８ｄ            長円形ボス穴
１８ｅ            円形ボス穴
１９              樹脂カバー
Ｎ                ネジ
【図１】
0004027677.tif 000002
【図２】
0004027677.tif 000003
【図３】
0004027677.tif 000004
【図４】
0004027677.tif 000005
【図５】
0004027677.tif 000006
【図６】
0004027677.tif 000007
【図７】
0004027677.tif 000008
【図８】
0004027677.tif 000009